(57)【特許請求の範囲】
【請求項１】
２０〜３０代の被鑑別者の体重及び顔の物理量から、該被鑑別者の加齢による顔の変化パターンを推定する、加齢パターンの鑑別方法であって、
１）複数パネラーの２０〜３０代のころの体重、並びに瞳孔位置の顔横幅に対する顔縦幅の比、口裂位置の顔横幅、瞳孔位置に対する口裂位置の顔横幅の比、瞳孔から口裂の距離、瞳孔から顎先の距離及び顎の角度からなる物理量ａと、同パネラーの５０〜６０代のころの顔形の変化方向とを因子解析することにより得られた、前記体重及び物理量ａと前記顔形の変化方向との関係を表す判別式Ｉに、被鑑別者の体重及び前記物理量ａを代入し、該被鑑別者の加齢時の顔形の変化方向を推定する工程、
２）複数パネラーの２０〜３０代のころの左側の二重の目縦幅、右側の二重の目縦幅、口裂位置の顔横幅に対する口横幅の比、瞳孔から顎先の距離及び目と眉の距離からなる物理量ｂと、同パネラーの５０〜６０代のころの上瞼の窪み具合とを因子解析することにより得られた、前記物理量ｂと前記上瞼の窪み具合との関係を表す判別式ＩＩに、被鑑別者の前記物理量ｂを代入し、該被鑑別者の加齢時の上瞼の窪み具合を推定する工程、
３）複数パネラーの２０〜３０代のころの瞳孔位置の顔横幅に対する顔縦幅の比、口裂位置の顔横幅、瞳孔位置に対する口裂位置の顔横幅の比、瞳孔から口裂の距離、瞳孔から顎先の距離、顎の角度、上瞼の位置、下瞼の位置及び眉の長さからなる物理量ｃと、同パネラーの５０〜６０代のころの口角のシワの目立ち具合とを因子解析することにより得られた、前記物理量ｃと前記口角のシワの目立ち具合との関係を表す判別式ＩＩＩに、被鑑別者の前記物理量ｃを代入し、該被鑑別者の加齢時の口角のシワの目立ち具合を推定する工程、
４）複数パネラーの２０〜３０代のころの下瞼の位置、瞳孔位置の顔横幅に対する顔縦幅の比、口裂より下の顎輪郭の長さ及び顔最大幅の位置からなる物理量ｄと、同パネラーの５０〜６０代のころの鼻唇溝の目立ち具合とを因子解析することにより得られた、前記物理量ｄと前記鼻唇溝の目立ち具合との関係を表す判別式ＩＶに、被鑑別者の前記物理量ｄを代入し、該被鑑別者の加齢時の鼻唇溝の目立ち具合を推定する工程、並びに
５）複数パネラーの２０〜３０代のころの瞳孔位置の顔横幅に対する顔縦幅の比、口裂位置の顔横幅、瞳孔位置に対する口裂位置の顔横幅の比、瞳孔から口裂の距離、瞳孔から顎先の距離、顎の角度、目の横幅及び下瞼の位置からなる物理量ｅと、同パネラーの５０〜６０代のころの下顎の形状の滑らかさとを因子解析することにより得られた、前記物理量ｅと前記下顎の形状の滑らかさとの関係を表す判別式Ｖに、被鑑別者の前記物理量ｅを代入し、該被鑑別者の加齢時の下顎の形状の滑らかさを推定する工程を含む、加齢パターンの鑑別方法。
【請求項２】
前記被鑑別者の顔の物理量を、被鑑別者の顔の画像を用いて測定する、請求項１の加齢パターンの鑑別方法。
【請求項３】
前記顔形の変化方向を、「広くて大きい方向に変化する」、及び「細くて長い方向に変化する」の２つのパターンに分類することを特徴とする、請求項１又は２に記載の加齢パターンの鑑別方法。
【請求項４】
前記上瞼の窪み具合を、「窪む」、及び「平らであることを維持する」の２つのパターンに分類することを特徴とする、請求項１〜３の何れか一項に記載の加齢パターンの鑑別方法。
【請求項５】
前記口角のシワの目立ち具合を、「目立つ」、及び「目立たない」の２つのパターンに分類することを特徴とする、請求項１〜４の何れか一項に記載の加齢パターンの鑑別方法。
【請求項６】
前記鼻唇溝の目立ち具合を、「目立つ」、及び「目立たない」の２つのパターンに分類することを特徴とする、請求項１〜５の何れか一項に記載の加齢パターンの鑑別方法。
【請求項７】
前記下顎の形状の滑らかさを、「顔の下半部のラインと一体になり滑らかである」、及び「顔の下半部のラインより垂れている」の２つのパターンに分類することを特徴とする、請求項１〜６の何れか一項に記載の加齢パターンの鑑別方法。
【請求項８】
２０〜３０代の被鑑別者の体重及び顔の物理量から、該被鑑別者の加齢時の顔の推定画像を作成する、加齢変化推定画像の作成方法であって、
請求項１〜７の何れか一項に記載の加齢パターンの鑑別方法により、被鑑別者の顔の加齢パターンを鑑別し、
該被鑑別者の顔の画像に、該被鑑別者の加齢時の顔形の変化方向、上瞼の窪み具合、口角のシワの目立ち具合、鼻唇溝の目立ち具合、及び下顎の形状の滑らかさの推定結果を、モーフィングにより反映させることを特徴とする、加齢変化推定画像の作成方法。
【発明の詳細な説明】
【０００１】
【技術分野】
本発明は、顔の加齢変化における加齢パターンの鑑別法及びそれを利用した加齢変化推定画像の作成法に関する。
【０００２】
【背景技術】
顔の加齢変化は容貌を大きく変え、昔の紅顔の美少年も年を経れば、シワとシミだらけの只のおじさんになってしまうし、昔の美少女もでっぷりとしたおばさん或いはシワだらけの梅干し婆さんになってしまったりする。この様な加齢変化は、個人差、手入れの差或いは環境の差などによって異なるが、一応の標準的な変化傾向はあると言われている。この様な標準的な加齢による変化傾向としては、顔が大きくなる、顔の下半分が大きくなる、顔がやせて小さくなる等の説があり、確かにこの様な傾向はそれぞれ認められるが、これらの傾向は何れも相反するものを有しており、どの様な場合にこの様な変化傾向を取るかは全く知られていなかったし、その程度問題については全く知るすべも無かった。
【０００３】
一方、平均的な加齢変化パターンを知ることは、将来どの様な容貌になるかの予測が立てられるのみならず、その対策の策定或いは化粧料の効果などの検定等にも有用であると考えられている。しかしながら、この様な標準的な加齢変化パターンは未だ知られていない。
【０００４】
【発明が解決しようとする課題】
本発明は、この様な状況下為されたものであり、加齢変化パターンを鑑別する方法及びそのパターンより加齢変化推定画像を作成する手段を提供することを課題とする。
【０００５】
【課題を解決するための手段】
本発明者らは、この様な状況に鑑みて、加齢パターンを鑑別する方法及びそのパターンより加齢変化推定画像を作成する手段を求めて、鋭意研究努力を重ねた結果、１）顔形の変化方向と２）上瞼の窪み具合と３）口角のシワの目立ち具合と４）鼻唇溝の目立ち具合と５）下顎の形状の滑らかさとを指標とし、顔の加齢変化を推定することにより、この様な鑑別が可能であることを見いだした。更に、検討を重ねた結果、現在の顔の写真を画像に取込、該画像の各物理量を測定し、これらの物理量から上記方法より加齢パターンを鑑別し、加齢変化の推定値を、前記取込画像にモーフィングにより反映させることにより、現在の顔より将来の顔画像を作成することが出来ることを見いだし、発明を更に発展させた。即ち、本発明は、以下に示す技術に関するものである。
（１）２０〜３０代の被鑑別者の体重及び顔の物理量から、該被鑑別者の加齢による顔の変化パターンを推定する、加齢パターンの鑑別方法であって、
１）複数パネラーの２０〜３０代のころの体重、並びに瞳孔位置の顔横幅に対する顔縦幅の比、口裂位置の顔横幅、瞳孔位置に対する口裂位置の顔横幅の比、瞳孔から口裂の距離、瞳孔から顎先の距離及び顎の角度からなる物理量ａと、同パネラーの５０〜６０代のころの顔形の変化方向とを因子解析することにより得られた、前記体重及び物理量ａと前記顔形の変化方向との関係を表す判別式Ｉに、被鑑別者の体重及び前記物理量ａを代入し、該被鑑別者の加齢時の顔形の変化方向を推定する工程、
２）複数パネラーの２０〜３０代のころの左側の二重の目縦幅、右側の二重の目縦幅、口裂位置の顔横幅に対する口横幅の比、瞳孔から顎先の距離及び目と眉の距離からなる物理量ｂと、同パネラーの５０〜６０代のころの上瞼の窪み具合とを因子解析することにより得られた、前記物理量ｂと前記上瞼の窪み具合との関係を表す判別式ＩＩに、被鑑別者の前記物理量ｂを代入し、該被鑑別者の加齢時の上瞼の窪み具合を推定する工程、
３）複数パネラーの２０〜３０代のころの瞳孔位置の顔横幅に対する顔縦幅の比、口裂位置の顔横幅、瞳孔位置に対する口裂位置の顔横幅の比、瞳孔から口裂の距離、瞳孔から顎先の距離、顎の角度、上瞼の位置、下瞼の位置及び眉の長さからなる物理量ｃと、同パネラーの５０〜６０代のころの口角のシワの目立ち具合とを因子解析することにより得られた、前記物理量ｃと前記口角のシワの目立ち具合との関係を表す判別式ＩＩＩに、被鑑別者の前記物理量ｃを代入し、該被鑑別者の加齢時の口角のシワの目立ち具合を推定する工程、
４）複数パネラーの２０〜３０代のころの下瞼の位置、瞳孔位置の顔横幅に対する顔縦幅の比、口裂より下の顎輪郭の長さ及び顔最大幅の位置からなる物理量ｄと、同パネラーの５０〜６０代のころの鼻唇溝の目立ち具合とを因子解析することにより得られた、前記物理量ｄと前記鼻唇溝の目立ち具合との関係を表す判別式ＩＶに、被鑑別者の前記物理量ｄを代入し、該被鑑別者の加齢時の鼻唇溝の目立ち具合を推定する工程、並びに
５）複数パネラーの２０〜３０代のころの瞳孔位置の顔横幅に対する顔縦幅の比、口裂位置の顔横幅、瞳孔位置に対する口裂位置の顔横幅の比、瞳孔から口裂の距離、瞳孔から顎先の距離、顎の角度、目の横幅及び下瞼の位置からなる物理量ｅと、同パネラーの５０〜６０代のころの下顎の形状の滑らかさとを因子解析することにより得られた、前記物理量ｅと前記下顎の形状の滑らかさとの関係を表す判別式Ｖに、被鑑別者の前記物理量ｅを代入し、該被鑑別者の加齢時の下顎の形状の滑らかさを推定する工程を含む、加齢パターンの鑑別方法。
（２）前記被鑑別者の顔の物理量を、被鑑別者の顔の画像を用いて測定する、（１）の加齢パターンの鑑別方法。
（３）前記顔形の変化方向を、「広くて大きい方向に変化する」、及び「細くて長い方向に変化する」の２つのパターンに分類することを特徴とする、（１）又は（２）に記載の加齢パターンの鑑別方法。
（４）前記上瞼の窪み具合を、「窪む」、及び「平らであることを維持する」の２つのパターンに分類することを特徴とする、（１）〜（３）の何れかに記載の加齢パターンの鑑別方法。
（５）前記口角のシワの目立ち具合を、「目立つ」、及び「目立たない」の２つのパターンに分類することを特徴とする、（１）〜（４）の何れかに記載の加齢パターンの鑑別方法。
（６）前記鼻唇溝の目立ち具合を、「目立つ」、及び「目立たない」の２つのパターンに分類することを特徴とする、（１）〜（５）の何れかに記載の加齢パターンの鑑別方法。（７）前記下顎の形状の滑らかさを、「顔の下半部のラインと一体になり滑らかである」、及び「顔の下半部のラインより垂れている」の２つのパターンに分類することを特徴とする、（１）〜（６）の何れかに記載の加齢パターンの鑑別方法。
（８）２０〜３０代の被鑑別者の体重及び顔の物理量から、該被鑑別者の加齢時の顔の推定画像を作成する、加齢変化推定画像の作成方法であって、
（１）〜（７）の何れかに記載の加齢パターンの鑑別方法により、被鑑別者の顔の加齢パターンを鑑別し、
該被鑑別者の顔の画像に、該被鑑別者の加齢時の顔形の変化方向、上瞼の窪み具合、口角のシワの目立ち具合、鼻唇溝の目立ち具合、及び下顎の形状の滑らかさの推定結果を、モーフィングにより反映させることを特徴とする、加齢変化推定画像の作成方法。
以下、本発明について、実施の形態を中心に詳細に説明を加える。
【０００６】
【発明の実施の形態】
（１）顔の加齢変化パターン
顔の加齢変化のパターンを解析するために、２０代のパネラー３０名（２０代群）と４０代のパネラー３０名（４０代群）を集め、これら２つの年代ごとに、コンピューターモーフィングを使用して平均顔を作成した。この２種の平均顔を比較したところ、大きな変化が現れる位置としては、顔形、上瞼、口角、鼻唇溝及び下顎であることが判明した。そこで、５０代の女性パネラーを集め、これらのパネラーの２０歳代の写真と現在との顔の形状とを画像として取込み、前記の５箇所についての形状変化の比較を行った。この結果、確かにこれらの部位に形状変化は認められるものの、その変化方向は、個人ごとに異なり、反対の方向への変化もあることが判明した。そこで、これらのパネラーの２０代の写真の顔の各物理量と当時の身長や体重と、現在の前記５箇所（顔形、上瞼、口角、鼻唇溝及び下顎）の形状特性との関係について、因子解析を行った。この結果、顔形の変化方向の説明変数は、体重と顔の輪郭推定値であることが、上瞼の窪み具合の説明変数は、目の大きさ印象推定値と目と眉との距離であることが、口角のシワの具合の説明変数は、顔輪郭印象推定値と上瞼の位置と下瞼の位置と眉の長さであることが、鼻唇溝の具合の説明変数は、下瞼の位置と瞳孔位置の顔横幅に対する顔縦幅の比と口裂より下の顎輪郭の長さと顔最大幅の位置であることが、下顎の形状の説明変数が、顔輪郭印象推定値と目の横幅と下瞼の位置であることが判明した。これらを判別式で表すと次の如くになる。尚、この様な物理量の測定部位とその計算式は、それぞれ図１、図２及び表１に示す。
【０００７】
【表１】
0004349720.tif 000002
【０００８】
（２）顔形変化方向
顔形変化方向の判別値＝体重×０．１６５＋（顔輪郭印象推定値）×１．０−８．４０３；式１
ここで、顔輪郭印象推定値は、（−０．３０３×瞳孔位置の顔横幅に対する顔縦幅の比（Ｃ２０））＋（０．４７０×口裂位置の顔横幅（Ｗ１））＋（０．３１７×瞳孔位置に対する口裂位置の顔横幅の比（Ｗ２１））＋（０．２０５×瞳孔から口裂の距離（Ｌ１））＋（−０．４４４×瞳孔から顎先の距離（Ｃ１））＋（０．２２６×顎の角度（Ｃ５２）＋０．１７３の式で算出される。この様に式１で求められた数値が負である場合には、今よりも広く大きい方向に顔形変化し、正である場合には、今よりも細く長い方向に変化する。その変化率は、実測の加齢変化の平均を用いる。
【０００９】
（３）上瞼の窪み具合
上瞼の窪み具合＝（目の大きさ印象推定値）×（−１．５４７）＋（目と眉に距離（Ｅ５））×（−２６．６４４）＋６．１９０；式２
ここで、目の大きさ印象推定値は、（０．４２３×左側の二重の目縦幅（Ｅ２６）＋（０．２６０×右側の二重の目縦幅（Ｅ２７））＋（０．２３４×（口裂位置の顔横幅に対する口横幅の比（Ｍ２１））＋（−０．３２９×瞳孔から顎先の距離（Ｃ１））−０．０６６によって算出される。この様に式２で求められる数値が負である場合には上瞼は窪む方向に変化し、正である場合には平らであることを維持する。負の場合に於いて、上瞼の窪み具合の変化率は、実測の窪み具合の平均値を用いる。
【００１０】
（４）口角のシワの具合
口角のシワの具合＝（顔輪郭印象推定値）×（−０．８２７）＋（上瞼の位置（Ｅ４９））×（０．２９６）＋（下瞼の位置（Ｅ５０））×（０．１６６）＋（眉の長さ（Ｂ３３））×（−１２．０３８）＋８．２０７；式３
この式３で算出される値が負の場合には、シワが目立つ方向にあり、正の場合にはシワは目立たない方向にある。その変化率は、実測のシワ形成の平均を用いる。
【００１１】
（５）鼻唇溝の具合
鼻唇溝の具合＝（下瞼の位置（Ｅ５１））×（−０．１３７）＋（瞳孔位置の顔横幅に対する顔縦幅の比（Ｃ２０））×（１４．０９８）＋（口裂より下の顎輪郭の長さ（Ｃ２６））×３．４４６＋（顔最大幅の位置（Ｃ３２））×０．０４１＋１０．０１１；式４
この式４で算出される値が負の場合には、鼻唇溝は目立つ方向に変化し、正の場合には目立たない方向にある。その変化率は、鼻唇溝形成の実測の平均値を用いる。
【００１２】
（６）下顎の形状
下顎の形状＝（顔輪郭印象推定値）×（−１．１２６）＋（目の横幅（Ｅ４０））×（−２０．５７８）＋（下瞼の位置（Ｅ５１））×（−０．２４２）＋１０．０１１；式５
この式５で算出される数値が負の場合には、下顎にたるみがでて、ラインが滑らかでなくなる傾向にあり、正である場合にはたるみが現れず滑らかさが維持される傾向にある。その変化率は、下顎の形状の加齢変化の実測の平均値を用いる。
【００１３】
（７）加齢変化推定画像の作成方法
上記の式１〜５を用いて、加齢による変化方向とその程度を判別し、現在の顔画像に、その変化を、画像処理技術を用いて、加えることにより、加齢後の加齢変化推定画像を作成することができる。上記式１〜５は２０代から５０代への変化を判別する式であり、２０代の人が５０代になったときの容貌を推定する画像を提供するものであり、この変域に用いるのが好ましいが、これらの加齢変化の中間点をモーフィングなどで求めれば、一応の加齢方程式を求めることが出来、各年代対応することが出来る。又、同様の手技で３０代から５０代への変化や３０代から６０代への変化などの式を作成することも出来るので、この様なものも本発明の技術的範囲に属する。この様な画像は、式服などのライフスパンの長い衣服の購入時に、将来にわたっても似合うかどうかを鑑別したり、大きな変化が予想される項目を危険度として提示し、その様な変化が起こらないように手入れしてもらう指標としたりする事が出来る。更には、化粧料などの効果を標準の加齢変化からのずれとして検定することにも使用することが出来る。これらの技術も何れも本発明の加齢変化推定画像の作成方法の技術的範囲に属する。尚、この加齢変化推定画像の作成に用いる変化率は、実測した、これらの形状変化の平均値或いはモーフィングにより作成した平均顔を用いる。
【００１４】
【実施例】
以下に、実施例を挙げて本発明について更に詳細に説明を加えるが、本発明が、これら実施例にのみ限定を受けないことは言うまでもない。
【００１５】
＜実施例１＞現在３２歳のパネラーを用いて、２４歳当時の写真と体重データをもとに、式１〜５を用いて、５０歳の加齢変化推定画像を作成した。この２４歳当時の写真と５０歳の加齢変化推定画像とをモーフィングで処理し、３２歳の加齢変化推定画像を作成した。現在の実際の写真と３２歳の加齢変化推定画像とを用いて、１０名のパネラーにどの程度類似しているかを判定してもらった。判定基準は、評点４：極めてよく似ている、評点３：よく似ている、評点２：似ている、評点１：似ている部分もある、評点０：似ていないを用いた。平均評点は、３．６であり、本発明の加齢変化推定画像は極めて的確なものであることがわかった。これより、本発明の加齢変化推定画像の作成方法によれば、全年代に亘って、極めて的確な加齢変化推定画像が作成できることもわかる。これは、本発明の加齢パターンの鑑別方法が的確に加齢パターンを鑑別しているためであり、本発明の加齢パターンの鑑別方法の妥当性も証明された。このパネラーの２４歳当時の写真、５０歳の加齢変化推定画像、３２歳の現時点での写真、３２歳の加齢変化推定画像を図３〜６に示す。
【００１６】
【発明の効果】
本発明によれば、加齢変化パターンを鑑別する方法及びそのパターンより加齢変化推定画像を作成する手段を提供することが出来る。
【図面の簡単な説明】
【図１】顔の計測部位を示す図である。
【図２】顔の計測部位の表示を示す図である。
【図３】実施例１のパネラーの２４歳当時の写真（図面代用写真）である。
【図４】実施例１のパネラーの５０歳の加齢変化推定画像（図面代用写真）である。
【図５】実施例１のパネラーの３２歳の加齢変化推定画像（図面代用写真）である。
【図６】実施例１のパネラーの３２歳の写真（図面代用写真）である。
【図１】
0004349720.tif 000003
【図２】
0004349720.tif 000004
【図３】
0004349720.tif 000005
【図４】
0004349720.tif 000006
【図５】
0004349720.tif 000007
【図６】
0004349720.tif 000008